(57)【要約】【課題】撮像部に塵埃の付着しにくい撮像装置を提供する。【解決手段】本発明の撮像装置（１）は、被写体の像を撮像する撮像素子（４１Ａ）を備えた撮像部（４１）と、前記撮像部（４１）を保持する第１筐体（４４）と、前記第１筐体（４４）よりも前記被写体側に配置される保護カバー（３２）と、前記第１筐体（４４）とは独立した筐体であり、前記保護カバー（３２）を保持し、且つ前記被写体側に交換レンズ（２０）を着脱可能に装着するためのマウント構造（１０Ｍ）を前記保護カバー（３２）よりも前記被写体側に備えている第２筐体（３０）と、を備え、前記第１筐体（４４）又は前記第２筐体（３０）の少なくとも一方と、前記撮像部（４１）と、前記保護カバー（３２）と、によって密閉空間（９０）が形成されていること、を特徴とする。【選択図】図１
2010193435.tif 000002
【特許請求の範囲】
【請求項１】
被写体の像を撮像する撮像素子を備えた撮像部と、
前記撮像部を保持する第１筐体と、
前記第１筐体よりも前記被写体側に配置される保護カバーと、
前記第１筐体とは独立した筐体であり、前記保護カバーを保持し、且つ前記被写体側に交換レンズを着脱可能に装着するためのマウント構造を前記保護カバーよりも前記被写体側に備えている第２筐体と、を備え、
前記第１筐体又は前記第２筐体の少なくとも一方と、前記撮像部と、前記保護カバーと、によって密閉空間が形成されていること、
を特徴とする撮像装置。
【請求項２】
請求項１に記載の撮像装置であって、
前記第１筐体に設けられ且つ前記撮像素子の撮像面に垂直な光軸に沿って延びる第１筒状部、または、前記第２筐体に設けられ且つ前記光軸に沿って延びる第２筒状部の少なくとも一方を有すること、
を特徴とする撮像装置。
【請求項３】
請求項２に記載の撮像装置であって、
前記第１筐体が前記第１筒状部を有する場合、該第１筒状部と前記保護カバーまたは前記第２筐体との間に第１封止部材が設けられ、
前記第２筐体が前記第２筒状部を有する場合、該第２筒状部と前記撮像部または前記第１筐体との間に第２封止部材が設けられていること、を特徴とする撮像装置。
【請求項４】
請求項２に記載の撮像装置であって、
前記第１筐体が前記第１筒状部を有し、前記第２筐体が前記第２筒状部を有する場合、前記第１筒状部が前記第２筒状部の内側に配置されていること、
を特徴とする撮像装置。
【請求項５】
請求項１〜４のいずれか１項に記載の撮像装置であって、
前記撮像部と前記第１筐体との間に第３封止部材が介在されてしていること、
を特徴とする撮像装置。
【請求項６】
請求項１〜５の何れか一項に記載の撮像装置であって、
前記撮像部は、前記撮像素子の撮像面に垂直な方向における位置調整が可能であることを特徴とする撮像装置。
【請求項７】
請求項１〜６のいずれか１項に記載の撮像装置であって、
前記撮像部は、前記第２筐体に対して、前記撮像素子の撮像面と平行な方向において位置調整が可能であること、
を特徴とする撮像装置。
【請求項８】
請求項１〜７のいずれか１項に記載の撮像装置であって、
前記第２筐体は、前記撮像部に入射する被写体光の通過領域を開閉可能なバリア部材を、前記保護カバーよりも前記被写体側に備えること、
を特徴とする撮像装置。
【請求項９】
請求項１〜７のいずれか１項に記載の撮像装置であって、
前記保護カバーは、前記撮像装置が組み立てられた状態で、前記第２筐体に対して着脱可能であること、
を特徴とする撮像装置。
【請求項１０】
請求項９に記載の撮像装置であって、
前記保護カバーの被写体側に配置され、前記第２筐体に対する着脱構造を有し、前記第２筐体との間で前記保護カバーを挟持する保持部材を備えること、
を特徴とする撮像装置。
【請求項１１】
請求項１０に記載の撮像装置であって、
前記着脱構造は、
前記保持部材の像側の外周部に設けられ、一端が該保持部材に結合されて該結合部から円周に沿って前記保持部材と平行に延びる腕部と、
前記第２筐体に設けられた、該腕部が挿入可能な挿入口と、を備え、
前記第２筐体と前記保持部材との間に前記保護カバーを配置した状態で、前記腕部を前記挿入口に挿入し、前記保持部材を前記腕部における前記一端側から前記他端側に向かう方向に回転すると、前記挿入口に挿入されていた前記腕部の前記他端側が前記第２筐体の像側背面に入り込み、前記保持部材が前記第２筐体に固定されるように構成されていること、
を特徴とする撮像装置。
【請求項１２】
請求項１１に記載の撮像装置であって、
前記腕部の前記被写体側面の先端部には係合部が設けられ、
前記第２筐体の前記像側面には、前記保持部材を前記第２筐体に対して回転したときに前記係合部が係合する被係合部が設けられていること、
を特徴とする撮像装置。
【発明の詳細な説明】
【技術分野】
【０００１】
本発明は、被写体像を撮像する撮像装置に関するものである。
【背景技術】
【０００２】
レンズ交換式デジタルカメラ等の撮像装置は、一般に撮影レンズ着脱の際にカメラ本体の内部空間が外部に晒される構造を有している。このため、外部からカメラ本体の内部空間に侵入する塵埃が、撮像部に付着するという問題を生じる。
このため、撮影者側の撮像素子と被写体側のマウント近傍に配置された透明カバーとを壁部として含む筐体で密閉空間を形成し、カメラ本体外部からの進入する塵埃の撮像部への付着を防止するようにしたものがある（例えば、特許文献１参照）。
【先行技術文献】
【特許文献】
【０００３】
【特許文献１】特開２０００−２４１８６９号公報
【発明の開示】
【発明が解決しようとする課題】
【０００４】
しかし、上記従来技術は、被写体光をファインダ部へ導くミラーがその密閉空間内に配置されているため、密閉空間内部において塵埃が発生し、撮像部に付着する可能性がある。
【０００５】
本発明の課題は、撮像部に塵埃の付着しにくい撮像装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、被写体の像を撮像する撮像素子（４１Ａ）を備えた撮像部（４１）と、前記撮像部（４１）を保持する第１筐体（４４）と、前記第１筐体（４４）よりも前記被写体側に配置される保護カバー（３２，２３２，３３２）と、前記第１筐体（４４）とは独立した筐体であり、前記保護カバー（３２，２３２，３３２）を保持し、且つ前記被写体側に交換レンズ（２０）を着脱可能に装着するためのマウント構造（１０Ｍ）を前記保護カバー（３２，２３２，３３２）よりも前記被写体側に備えている第２筐体（３０，２３０，３３０）と、を備え、前記第１筐体（４４）又は前記第２筐体（３０，２３０，３３０）の少なくとも一方と、前記撮像部（４１）と、前記保護カバー（３２，２３２，３３２）と、によって密閉空間（９０）が形成されていること、を特徴とする撮像装置（１，２，２００，３００）である。
請求項２に記載の発明は、請求項１に記載の撮像装置（１，２，２００，３００）であって、前記第１筐体（４４）に設けられ且つ前記撮像素子（４１Ａ）の撮像面に垂直な光軸に沿って延びる第１筒状部（４４Ｅ）、または、前記第２筐体（３０，２３０，３３０）に設けられ且つ前記光軸に沿って延びる第２筒状部（３３）の少なくとも一方を有すること、を特徴とする撮像装置（１，２，２００，３００）である。
請求項３に記載の発明は、請求項２に記載の撮像装置（１，２，２００，３００）であって、前記第１筐体（４４）が前記第１筒状部（４４Ｅ）を有する場合、該第１筒状部（４４Ｅ）と前記保護カバー（３２，２３２，３３２）または前記第２筐体（３０，２３０，３３０）との間に第１封止部材（９１）が設けられ、前記第２筐体（３０，２３０，３３０）が前記第２筒状部（３３）を有する場合、該第２筒状部（３３）と前記撮像部（４１）または前記第１筐体（４４）との間に第２封止部材（９２）が設けられていること、を特徴とする撮像装置（１，２，２００，３００）である。
請求項４に記載の発明は、請求項２に記載の撮像装置（１，２，２００，３００）であって、前記第１筐体（４４）が前記第１筒状部（４４Ｅ）を有し、前記第２筐体（３０，２３０，３３０）が前記第２筒状部（３３）を有する場合、前記第１筒状部（４４Ｅ）が前記第２筒状部（３３）の内側に配置されていること、を特徴とする撮像装置（１，２，２００，３００）である。
請求項５に記載の発明は、請求項１〜４のいずれか１項に記載の撮像装置（１，２，２００，３００）であって、前記撮像部（４１）と前記第１筐体（４４）との間に第３封止部材（９３）が介在されてしていること、を特徴とする撮像装置（１，２，２００，３００）である。
請求項６に記載の発明は、請求項１〜５の何れか一項に記載の撮像装置（１，２，２００，３００）であって、前記撮像部（４１）は、前記撮像素子（４１Ａ）の撮像面に垂直な方向における位置調整が可能であることを特徴とする撮像装置（１，２，２００，３００）である。
請求項７に記載の発明は、請求項１〜６のいずれか１項に記載の撮像装置（１，２，２００，３００）であって、前記撮像部（４１）は、前記第２筐体（３０，２３０，３３０）に対して、前記撮像素子（４１Ａ）の撮像面と平行な方向において位置調整が可能であること、を特徴とする撮像装置（１，２，２００，３００）である。
請求項８に記載の発明は、請求項１〜７のいずれか１項に記載の撮像装置（２）であって、前記第２筐体（３０，２３０，３３０）は、前記撮像部（４１）に入射する被写体光の通過領域を開閉可能なバリア部材（１００）を、前記保護カバー（３２）よりも前記被写体側に備えること、を特徴とする撮像装置（２）である。
請求項９に記載の発明は、請求項１〜７のいずれか１項に記載の撮像装置（２００，３００）であって、前記保護カバー（２３２，３３２）は、前記撮像装置（２００，３００）が組み立てられた状態で、前記第２筐体（２３０，３３０）に対して着脱可能であること、を特徴とする撮像装置（２００，３００）である。
請求項１０に記載の発明は、請求項９に記載の撮像装置（２００，３００）であって、前記保護カバー（２３２，３３２）の被写体側に配置され、前記第２筐体（２３０，３３０）に対する着脱構造を有し、前記第２筐体（２３０，３３０）との間で前記保護カバー（２３２，３３２）を挟持する保持部材（２３６，３３６）を備えること、を特徴とする撮像装置（２００，３００）である。
請求項１１に記載の発明は、請求項１０に記載の撮像装置（３００）であって、前記着脱構造は、前記保持部材（３３６）の像側の外周部に設けられ、一端が該保持部材（３３６）に結合されて該結合部から円周に沿って前記保持部材（３３６）と平行に延びる腕部（３２０）と、前記第２筐体（３３０）に設けられた、該腕部（３２０）が挿入可能な挿入口（３３７）と、を備え、前記第２筐体（３３０）と前記保持部材（３３６）との間に前記保護カバー（３３２）を配置した状態で、前記腕部（３２０）を前記挿入口（３３７）に挿入し、前記保持部材（３３６）を前記腕部（３２０）における前記一端側から前記他端側に向かう方向に回転すると、前記挿入口（３３７）に挿入されていた前記腕部（３２０）の前記他端側が前記第２筐体（３３０）の像側背面に入り込み、前記保持部材（３３６）が前記第２筐体（３３０）に固定されるように構成されていること、を特徴とする撮像装置（３００）である。
請求項１２に記載の発明は、請求項１１に記載の撮像装置（３００）であって、前記腕部（３２０）の前記被写体側面の先端部には係合部（３１３）が設けられ、前記第２筐体（３３０）の前記像側面には、前記保持部材（３３６）を前記第２筐体（３３０）に対して回転したときに前記係合部（３１３）が係合する被係合部（３０２Ａ，３０２Ｂ）が設けられていること、を特徴とする撮像装置（３００）である。
なお、符号を付して説明した構成は、適宜改良してもよく、また、少なくとも一部を他の構成物に代替してもよい。
【発明の効果】
【０００８】
本発明によれば、撮像部に塵埃の付着しにくい撮像装置を提供することができる。
【図面の簡単な説明】
【０００９】
【図１】本発明の第１実施形態としてのカメラの概略構成を示す断面図である。
【図２】図１においてカメラ本体から撮像レンズを取り外した状態を示す断面図である。
【図３】撮像ユニットを前面側から見た図である。
【図４】図３のＡ−Ａ線断面図である。
【図５】本発明の第２実施形態としてのカメラの概略構成を示す断面図である。
【図６】本発明の第３実施形態としてのカメラの概略構成を示す断面図である。
【図７】第３実施形態においてカメラ本体からカバーガラスを取り外した状態を示した図である。
【図８】図６におけるＡＡ方向から見た図であり、カメラ構造体より内径側のみを示す。
【図９】本発明の第４実施形態としてのカメラの概略構成を示す断面図である。
【図１０】第４実施形態においてカメラ本体からカバーガラスを取り外した状態を示した図である。
【図１１】図１０におけるＢＢ方向から見た図であり、保持部材がカメラ構造体に固定されている状態を示す。
【図１２】図１０におけるＢＢ方向から見た図であり、保持部材がカメラ構造体から取り外し可能な状態を示す。
【図１３】（ａ）は、図１１のＣＣ線に沿った断面図であり、（ｂ）は図１２のＣＣ線に沿った断面図である。
【図１４】第３実施形態カメラの変形形態を示す断面図である。
【発明を実施するための形態】
【００１０】
（第１実施形態）
以下、図面を参照して、本発明の第１実施形態について説明する。
図１は、本発明の実施形態のカメラ１の概略構成を示す断面図である。図２は、カメラ本体１０から、カメラ１に着脱自在な交換レンズ２０を取り外した状態の断面図である。
なお、以下の図には、説明と理解を容易にするために、適宜ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。また、以下の説明においては、被写体に向かうＺプラス方向を前面側、その逆側のＺマイナス側を背面側とも呼ぶ。
【００１１】
カメラ１は、レンズ交換式のカメラであって、カメラ本体１０と、そのカメラ本体１０に対して着脱可能な交換レンズ２０とにより構成されている。カメラ本体１０はボディマウント１０Ｍを備える一方、交換レンズ２０はレンズマウント２０Ｍを備える。そして、ボディマウント１０Ｍとレンズマウント２０Ｍとの結合によって、カメラ本体１０に対して交換レンズ２０が光軸ＯＡを一致させた状態で装着される。これにより、カメラ本体１０に対して交換レンズ２０が着脱可能となり、撮影対象に応じて焦点距離や機能などの異なる種々の交換レンズ２０を用いることができる。
【００１２】
カメラ本体１０は、カメラ構造体３０と、カメラ構造体３０に装着された撮像ユニット４０と、電子ビューファインダー５０と、これらの構成部材を収容する外装部材６０等により構成されている。また、外装部材６０のカメラ本体１０の背面側（Ｚマイナス側）に、表示装置７０（液晶パネルなど）を備えている。
【００１３】
カメラ構造体３０は、カメラ本体１０の前面側（被写体光が入射する側）に配置される部材であり、その略中央には、被写体光が通過する開口部３１が形成されている。カメラ構造体３０の前面側の外面には、ボディマウント１０Ｍがマウントネジ８９によって固定されている。
【００１４】
撮像ユニット４０は、カメラ構造体３０の背面側に装着されるユニットである。撮像ユニット４０は、被写体光を電気信号に変換するＣＣＤなどの撮像素子４１Ａを備えた撮像部４１を撮像基板４２に保持しており、撮像素子４１Ａの受光面を光軸ＯＡに対して直角として、撮像基板４２を介してカメラ構造体３０に装着されている。
【００１５】
交換レンズ２０の光学系を介して撮像ユニット４０の撮像素子４１Ａに結像された被写体像は撮像素子４１Ａによって電気信号に変換される。撮像素子４１Ａによって光電変換された撮像データは、撮像実装基板４１Ｄを介し、図示しない制御装置によって画像データとして信号処理される。信号処理された画像データは電子ビューファインダー５０および表示装置７０に送られ、また、撮影時には、図示しない記録装置に記録される。
【００１６】
なお、本実施形態のカメラ１（カメラ本体１０）は、機械式のシャッター装置を備えていない。撮影時における撮像素子４１Ａに対する被写体光の露光時間（撮像素子４１Ａが被写体光を蓄積する時間）の調整は、制御部が撮像素子４１Ａを電気的に制御（電子シャッタ制御）して行う。
【００１７】
電子ビューファインダー５０は、カメラ本体１０の上部に配置され、撮像照射モジュール５１と、接眼光学系５２と、を備えている。
電子ビューファインダー５０は、撮像素子４１Ａによって撮像したスルー画像を撮像照射モジュール５１に表示する。撮影者は、撮像照射モジュール５１に表示された画像を、接眼光学系５２を介して視認することができる。これにより、クイックリターンミラーを備えることなく、いわゆる一眼レフのように撮像素子４１Ａによる撮像をリアルタイムで見ることができる。
【００１８】
表示装置７０は、撮像素子４１Ａによって撮像したスルー画像を液晶パネルに表示する。これにより、電子ビューファインダー５０を覗くことなく、表示装置７０を介して撮像素子４１Ａによる撮像を見て撮影することもできる。
【００１９】
詳しくは後述するが、カメラ構造体３０と撮像ユニット４０とは、外部と隔絶された密閉空間９０を形成する防塵構造を構成している。これによって、交換レンズ２０を交換する際などに、外部から侵入した塵埃が撮像ユニット４０に付着して撮像素子４１Ａによる撮像に写り込むなどの不具合を防ぐようになっている。
【００２０】
つぎに、前述の図１および図２に加えて図３および図４を参照し、このカメラ構成の防塵構造について詳細に説明する。
図３は、撮像ユニット４０を前面側から見た図である。図４は、図３のＡ−Ａ線断面図である。
【００２１】
カメラ構造体３０は、前述したように、その略中央に被写体光の通過する開口部３１を備えており、その開口部３１の前面側開口部にカバーガラス３２が装着されている。開口部３１は、撮像ユニット４０の撮像素子４１Ａに至る被写体光の通過を妨げない大きさおよび形状に設定されている。本実施形態では、図示しないが、撮像素子４１Ａの写角と対応する矩形形状となっている。なお、開口部３１の形状は矩形に限らず、たとえば円形などであってもよい。
【００２２】
カメラ構造体３０に装着されたカバーガラス３２は、透明な部材によって所定厚さの板状に形成されている。そして、開口部３１の前面側に形成された凹部に収容される。そして、カメラ構造体３０の前面に固定部材３５によって、カバーガラス３２の背面側の面を開口部３１の凹部の前面側の面に密着させた状態で、止めネジ８８にてカメラ構造体３０に固定されている。これにより、カバーガラス３２が開口部３１の前面側の開口部を密閉し、カメラ本体１０の前面側から開口部３１の内部への塵埃の侵入を阻止するようになっている。なおカバーガラス３２としては、平行平板ガラスに限られるものではなく、レンズ（凹レンズまたは凸レンズ）を用いても構わない。
【００２３】
また、カメラ構造体３０の背面側には、外筒部３３が設けられている。外筒部３３は、開口部３１の周囲に設けられた角筒形状（円筒形状でも可）を有している。外筒部３３より外周側の、カメラ構造体３０の背面側には、撮像ユニット４０を支持する支持部３４が、カメラ本体１０の背面側に向かって所定長さで立設されている。この支持部３４は、カメラ構造体３０と撮像ユニット４０とを締結するときに図３に示す撮像ユニット４０の部位４２Ｂに位置づけられる（対応する）ように、カメラ構造体３０上の３箇所に設けられている。
支持部３４の背面側端部には、固定雌ネジが形成されると共に、所定径および所定深さの穴グリが固定雌ネジと同芯に形成されている。
【００２４】
上記のように構成されたカメラ構造体３０には、その背面側に撮像ユニット４０が調整装着ネジ８１によって装着される。この撮像ユニット４０は、撮像素子４１Ａと、撮像素子４１Ａを保持する撮像基板４２と、光学ローパスフィルタ４３と、遮光構造体４４とが、一体に組み立てられて構成されている。そして、一体の撮像ユニット４０として、カメラ構造体３０に装着される。
【００２５】
撮像部４１は、図１および図４に示すように、撮像素子４１Ａが配置された撮像部４１の背面側の周囲には、撮像実装基板４１Ｄが設けられ、この撮像実装基板４１Ｄが撮像素子４１Ａと外部との電気的な接続を担っている。
撮像素子４１Ａは、撮像基板４２に対する遮光構造体４４の固定によって、同時に撮像基板４２に固定される。この固定構造については後述する。
【００２６】
撮像基板４２は、図３に示すように、前面側から見た形状が撮像部４１と略相似形の大形な矩形である。撮像基板４２の中央部には、撮像部４１を支持する支持凸部４２Ａ（図１および図４参照）が、前面側に向けて所定高さに突出形成されている。この支持凸部４２Ａの面内において撮像部４１の位置調整（ＸＹ位置調整）を行った後で、支持凸部４２Ａ上に撮像部４１の背面側が接着剤等により固定される。
【００２７】
また、撮像基板４２には、カメラ構造体３０の支持部３４と対応する位置に、それぞれ貫通孔を有する固定部４２Ｂが設けられている。すなわち、固定部４２Ｂは、上側に２カ所、下側に１カ所の合計３カ所設けられている。撮像基板４２は、この固定部４２Ｂでカメラ構造体３０に装着される。
さらに、撮像基板４２の左右両側には、遮光構造体４４を位置決めする位置決め突起（ボス）４２Ｃが、それぞれ前面側に向けて所定高さで突設されている。
【００２８】
光学ローパスフィルタ４３は、撮像素子４１Ａの受光面に結像される被写体像にモアレなどが発生するのを抑制するための板状のフィルタである。光学ローパスフィルタ４３は、撮像部４１の前面側に、間にマスク４５を挟んで配置されている。
光学ローパスフィルタ４３は、前述の撮像部４１と同様に、撮像基板４２への遮光構造体４４の固定によって、同時に撮像基板４２に固定される。この固定構造については後述する。
【００２９】
遮光構造体４４は、図３に示すように、前面側から見た外形形状が、撮像部４１と略相似形で一回り大きい矩形の角筒状に形成されている。
遮光構造体４４の内周には、図１および図４に示すように、背面側（図中右側）から順番に、撮像実装基板４１Ｄを収容する実装基板収容段部４４Ａと、撮像部４１を収容する撮像部収容段部４４Ｂと、光学ローパスフィルタ４３を収容するフィルタ収容段部４４Ｃとが、前面側程先細りとなる段々に形成されている。
【００３０】
また遮光構造体４４は、前面側に向かって前面側が小さくなる方向の段付によって所定長さに延びる角筒形状であって、内筒部４４Ｅを備える。この内筒部４４Ｅの外周側には、前面側に向いた所定幅のシール段面４４Ｄが形成されている。
さらに、遮光構造体４４の基端部（背面側の端部）の外周には、上側（Ｙプラス側）と下側（Ｙマイナス側）の左右両端近傍に、それぞれ雌ネジを備える固定突部４４Ｆが設けられている。すなわち、固定突部４４Ｆは、遮光構造体の四隅にそれぞれ設けられている。
さらに遮光構造体４４は、位置決め穴４４Ｇによって、前述した位置決め突起４２Ｃと位置決めされる。
【００３１】
遮光構造体４４は、撮像基板４２を貫通して固定突部４４Ｆの雌ネジに螺合する固定ネジ８２によって、撮像基板４２に固定されている。
この撮像基板４２への遮光構造体４４の固定状態において、フィルタ収容段部４４Ｃが、ローパスフィルタ４３と、撮像部４１とを、撮像基板４２に向けて押圧し、撮像基板４２に固定している。すなわち、撮像部４１と光学ローパスフィルタ４３とは、遮光構造体４４によっていわゆる共締め状態で撮像基板４２に固定されている。なおマスク４５が、後述するようなゴム材料で構成されているものであれば、撮像部４１はこのマスク４５によっても押圧されることになる。
ここで、フィルタ収容段部４４Ｃにおける光軸とＯＡに対して垂直な面と光学ローパスフィルタ４３の間には、撮像部内シール部材９３が介装されている。また、光学ローパスフィルタ４３と撮像素子４１Ａの間には、前述のマスク４５が介装されている。
【００３２】
撮像部内シール部材９３は、所定の弾性を有するシリコーンゴム、または、独立気泡性のスポンジゴムなどによって形成されている。この撮像部内シール部材９３は、フィルタ収容段部４４Ｃと光学ローパスフィルタ４３との間に挟まれて圧縮され、所定量弾性変形した状態となって両者に密着し、両者間の内外を気密的にシールする。
【００３３】
マスク４５は、光学ローパスフィルタ４３と撮像部４１の前面側に両者を接触させないように隙間を形成するために介装されるものである。合成樹脂素材などによって形成してもよいが、弾性を有して密着するシリコーンゴムなどのゴム素材によって形成すれば、塵埃の侵入を防ぐシール材として機能させることができる。
【００３４】
また、撮像部４１の撮像実装基板４１Ｄは、支持凸部４２Ａの周囲の一段低い撮像基板４２の前面側に収容される。
【００３５】
上記のように構成された撮像ユニット４０は、カメラ構造体３０に、撮像基板４２の固定部４２Ｂを介して光軸ＯＡ方向に位置調整（フランジバック調整）可能に装着される。すなわち、撮像ユニット４０の固定部４２Ｂを貫通した調整装着ネジ８１が、カメラ構造体３０の支持部３４に設けられた穴グリに挿置されたコイルスプリング８３を貫通して固定雌ネジに螺合することで、撮像ユニット４０がカメラ構造体３０に装着される。コイルスプリング８３は、その弾性復帰力で撮像基板４２を調整装着ネジ８１の頭部下面に押圧付勢する。従って、調整装着ネジ８１の頭部下面の光軸ＯＡ方向の位置によって撮像ユニット４０の光軸ＯＡ方向の位置が規定される。これにより、調整装着ネジ８１を回転させて光軸ＯＡ方向に進退調整することで、カメラ構造体３０のボディマウント面に対する撮像ユニット４０の光軸ＯＡ方向の位置を調整することができる。そして、この調整装着ネジ８１による位置調整後は、カメラへ加わる振動などの影響を受けてネジ８１が動いてしまわないように、その調整位置においてネジ８１を接着剤等で接着固定することが望ましい。
【００３６】
ところで撮像基板４２の各固定部４２Ｂに、調整装着ネジ８１との係合のためにそれぞれ設けられている穴の径は、調整装着ネジ８１の芯部の径よりも若干大きめに（ネジ頭部の径よりは小さく）形成されている。これは、撮像基板４２の固定部４２Ｂの、支持部３４に対するＸＹ面内における位置関係を調整できるようにするためにである。この位置関係を調整することによって、カメラ構造体３０に対する撮像ユニット４０のＸＹ方向（撮像面に平行な方向）の位置関係を調整することができる。この撮像ユニット４０のカメラ構造体３０に対するＸＹ位置調整作業は、調整装着ネジ８１が接着固定される前に行っておくようにする。
【００３７】
なお、カメラ構造体３０に、撮像ユニット４０を、光軸ＯＡ方向の位置調整を行って固定する構造は、上記構成に限るものではない。たとえば、撮像ユニット４０の固定部４２Ｂを、カメラ構造体３０の支持部３４に密着させてネジ等で固定する構成とし、支持部３４の端面、またはその端面に密着する固定部４２Ｂの面を切削加工することで、カメラ構造体３０に対する撮像ユニット４０の光軸ＯＡ方向の位置を調整するように構成してもよい。
【００３８】
カメラ構造体３０に撮像ユニット４０が装着された状態において、撮像ユニット４０における遮光構造体４４の内筒部４４Ｅは、カメラ構造体３０における外筒部３３の内周側に嵌入される。内筒部４４Ｅの前面側の端面と、カメラ構造体３０におけるカバーガラス３２の背面とは、所定の間隔を有し、その間には第１シール部材９１が介装されている。
カメラ構造体３０における外筒部３３の背面側の端面は、撮像ユニット４０における遮光構造体４４のシール段面４４Ｄと所定間隔を有して対向し、この対向する面の間に、第２シール部材９２が介装されている。
【００３９】
第１シール部材９１は、所定の弾性を有するシリコーンゴム、または、独立気泡性のスポンジゴムなどによって形成されている。そして、カメラ構造体３０のカバーガラス３２と撮像ユニット４０における遮光構造体４４の内筒部４４Ｅとの間に挟まれて圧縮され、所定量弾性変形した状態となって両者に密着し、両者間の内外を気密的にシールする。
【００４０】
第２シール部材９２は、第１シール部材９１と同様に、所定の弾性を有するシリコーンゴム、または、独立気泡性のスポンジゴムなどによって形成されている。そして、カメラ構造体３０における外筒部３３と撮像ユニット４０における遮光構造体４４のシール段面４４Ｄとの間に挟まれて圧縮され、所定量弾性変形した状態となって両者に密着し、両者間の内外を気密的にシールする。
【００４１】
上記のようなカメラ構造体３０と撮像ユニット４０との結合構造によって、カメラ構造体３０のカバーガラス３２と、撮像ユニット４０との間には、外部と気密的に隔絶されて、外部からの塵埃の侵入を防ぐ密閉空間９０が形成されている。
すなわち、カメラ構造体３０の前面側から密閉空間９０への塵埃の侵入は、カバーガラス３２が防ぐ。カメラ構造体３０に装着された撮像ユニット４０の背面側からの塵埃の侵入は、撮像ユニット４０の特にシール部材９３とマスク４５が防ぐ。
【００４２】
また、カメラ構造体３０と撮像ユニット４０との結合部位の周囲からの密閉空間９０への塵埃の侵入は、カメラ構造体３０の外筒部３３および撮像ユニット４０における遮光構造体４４（シール段面４４Ｄ）の間に介設された第２シール部材９２と、カメラ構造体３０に装着されたカバーガラス３２および撮像ユニット４０における遮光構造体４４の内筒部４４Ｅとの間に介装された第１シール部材９１と、が阻止する。つまり、カメラ構造体３０と撮像ユニット４０との結合部位の周囲は、第２シール部材９２と、第１シール部材９１との二重のシール構造によって密閉空間９０への塵埃の侵入を防ぐようになっている。なお、このカメラ構造体３０と撮像ユニット４０との結合部位の周囲からの塵埃に侵入を防ぐシール構造は、必ずしも二重に設けなければならないものではなく、いずれか一方のみであってもよい。しかし、本実施の形態のように二重構造とすれば、より高い塵埃侵入防止効果が得られる。
【００４３】
以上説明した実施形態によれば、カメラ構造体３０のカバーガラス３２と、撮像ユニット４０との間には、その外部と隔絶された密閉空間９０が形成される。
これにより、交換レンズ２０を交換する際などに、外部から侵入した塵埃が撮像ユニット４０（撮像部４１の前面側（光路面側）や光学ローパスフィルタ４３）に付着して、撮像素子４１Ａによる撮像に写り込むといった不具合を防ぐことができる。なお、交換レンズ２０を交換する際に、塵埃がカバーガラス３２の外側表面（前面）に付着することは生じ得る。しかし、カバーガラス３２の配設位置は撮像素子４１Ａから離間して位置しており、万一カバーガラス３２の前面に塵埃が付着したとしても撮像への影響は小さい。また、カバーガラス３２はカメラ構造体３０の前面側開口部に配置されており、ボディマウント１０Ｍのマウント面から近いため、容易に清掃することができる。
【００４４】
さらに、本実施形態におけるカメラ１は、クイックリターンミラーやシャッターを備えておらず、密閉空間９０の内部に可動機構は全く配設されていない。従って、密閉空間９０の内部において、可動機構の作動によって生成された微細な摩耗塵などが撮像ユニット４０に付着すること生じない。
【００４５】
以上、本実施形態によると、以下の効果を有する。
（１）カメラ構造体３０と撮像ユニット４０とが、撮像ユニット４０の周囲に外部と隔絶された密閉空間９０を形成することで、交換レンズ２０を交換する際などに、外部から侵入した塵埃が撮像ユニット４０に付着して撮像素子４１Ａによる撮像に写り込むなどの不具合を防ぐことができる。
【００４６】
（２）密閉空間９０の内部に可動機構は配設されていないため、密閉空間９０の内部において、可動機構が作動することで生成された微少な摩耗塵などが撮像ユニット４０に付着することがない。
【００４７】
（３）ボディマウント１０Ｍを備えるカメラ構造体３０と、撮像部４１を備える撮像ユニット４０とが、別体として構成され、カメラ構造体３０のボディマウント１０Ｍに対して撮像ユニット４０が光軸ＯＡ方向に位置調整可能に装着されていることにより、撮像ユニット４０で撮像部４１の位置精度の調整や加工を行うことができ、組み立て調整作業が容易となると共に、精度確保も容易となる。
【００４８】
（４）ボディマウント１０Ｍを備えるカメラ構造体３０と、撮像部４１を備える撮像ユニット４０とが、別体として構成されていることにより、製造時における内部の清掃作業を容易に行うことができる。
【００４９】
（５）密閉空間９０は、カメラ構造体３０に別体の撮像ユニット４０が装着されて構成されていることにより、万一密閉空間９０の内部に塵埃が発見された場合でも、分解清掃を容易に行うことができ、メンテナンスの作業性が良好である。
【００５０】
（第２実施形態）
つぎに、図５に基づいて本発明の第２実施形態を説明する。
図５は、第２実施形態のカメラ２の概略構成を示す断面図である。なお、カメラ２の基本構成は前述した図１および図２に示すカメラ１と同様であり、同機能の部位には同符号を付して説明は省略する。
前述の実施形態におけるカメラ１は、機械式のシャッター装置を備えていない。従って、交換レンズ２０の前面にキャップを被せるなどの遮光手段が施されていないと、撮像素子４１Ａは交換レンズ２０から入射した像光に常時曝されることとなる。これは、撮像素子４１Ａの種類によっては、耐久性などの観点から好ましくない場合がある。
【００５１】
第２実施形態におけるカメラ２は、カメラ本体１０のカメラ構造体３０におけるカバーガラス３２の前面側に、バリア部材１００を備えている。
バリア部材１００は、バリア基板１０１とカバー板１０２との間に、光路を開閉可能なバリア群１０３を備えて構成されている。そして、図示しない駆動手段によって、バリア群１０３が開閉駆動される。なお、本実施形態におけるバリア部材１００は、露光時間を司る高い精度は必要とせず、開閉可能で閉状態において光路を遮蔽するものであれば、どのような構成であってもよい。
バリア部材１００は、カメラ構造体３０の前面側に形成された凹部に収容され、その周囲で装着ネジ８４によってカメラ構造体３０に固定されている。
【００５２】
ここで、バリア部材１００のカバー板１０２の背面側に隣接して位置するカバーガラス３２は、バリア部材１００のカメラ構造体３０への固定によって、バリア部材１００に押圧されてカメラ構造体３０に固定されるようになっている。つまり、本構成では、バリア部材１００は、カバーガラス３２をカメラ構造体３０に固定する固定部材（前述の実施形態における固定部材３５）を兼ねている。これにより、専用の固定部材を必要とせず、部品点数や組立工数を削減できる合理的な構成となっている。
【００５３】
バリア部材１００におけるバリア群１０３の開閉は、図示しない制御部によって制御される。基本的には、メインスイッチが切られた状態（電源ＯＦＦ状態）ではバリア群１０３は閉ざされ、メインスイッチが入れられた撮影待機状態（電源ＯＮ状態）でバリア群１０３が開放される。また、電源ＯＮ状態であっても、カメラ本体１０に交換レンズ２０が装着されていない状態（カメラ本体１０から交換レンズ２０が取り外された状態）では、バリア群１０３は閉ざされる。その他、長時間露光の際などにおいて、バリア群１０３を閉ざしてバックグラウンドノイズを減算処理するためのバックグラウンドノイズ情報を取得する際に用いることもできる。
【００５４】
以上説明した第２実施形態の構成によれば、密閉空間９０の前面側を構成するカバーガラス３２のさらに前面側にバリア部材１００を備え、電源ＯＦＦ状態時にはバリア群１０３を閉ざすことで、撮像部４１の撮像素子４１Ａが交換レンズ２０から入射した像光に常時曝されること防ぎ、撮像素子４１Ａを保護することができる。
また、カメラ本体１０に交換レンズ２０が装着されていない状態ではバリア群１０３を閉ざすことで、交換レンズ２０を交換する際などにカバーガラス３２の表面に塵埃が付着することを防ぐことができる。
またバリア群を閉ざしておくことによって、カバーガラス３２に異物が直接接触してカバーガラス表面を傷つけてしまう（例えばレンズ交換時に交換レンズの端面がカバーガラス表面にぶつかって傷つけてしまう）といった虞を回避することが出来る。
【００５５】
上記第２実施形態によると、第１実施形態の効果に加え、以下の効果を有する。
（１）密閉空間９０を構成するカバーガラス３２の前面側にバリア部材１００を備え、電源ＯＦＦ状態時にはバリア群１０３を閉ざすことで、撮像素子４１Ａが交換レンズ２０から入射した像光に常時曝されること防ぎ、センサ４１Ａを保護することができる。
【００５６】
（２）密閉空間９０を構成するカバーガラス３２の前面側にバリア部材１００を備え、カメラ本体１０に交換レンズ２０が装着されていない状態ではバリア１０３を閉ざしておくことで、交換レンズ２０を交換する際などにカバーガラス３２の表面に塵埃が付着することや接触による傷つきなどを防ぐことができる。
【００５７】
（第３実施形態）
以下、図面を参照して、本発明の第３実施形態について説明する。
図６は、第３実施形態のカメラ２００の概略構成を示す断面図であり、カメラ本体２１０から、カメラ本体２１０に着脱自在な交換レンズ２０を取り外した状態の断面図である。図７は、カメラ本体２１０からカバーガラス２３２を取り外した状態を示した図である。図８は図６におけるＡＡ方向から見た図であり、カメラ構造体２３０から内径側のみを示す。
【００５８】
第３実施形態と第１実施形態との相違点はカバーガラス２３２が、カメラ構造体２３０に対して着脱可能となっている点である。その他の部分については第１実施形態と同様であり、同様な部分には第１実施形態と同一の符号を付し、その説明を省略する。
【００５９】
図示するように、カメラ構造体２３０の前面側におけるボディマウント１０Ｍの爪部よりも内径側には、撮像素子側に窪んだ第１段部２２５が形成されている。第１段部２２５の外形は、光軸ＯＡを中心とした円形に形成されている。カメラ構造体２３０における、その第１段部２２５の更に内側には、第１段部２２５よりも小径であって第１段部２２５よりも更に像側に窪んだ第２段部２２６が形成されている。
【００６０】
カバーガラス２３２は、第２段部２２６の径よりもわずかに小さい外径を有し、その厚みは第２段部２２６の深さと略同じであり、第２段部２２６に収納可能となっている。また、カバーガラス２３２は、図６に示すように第２段部２２６内に収納された状態で、第１実施形態と同様に、内筒部４４Ｅの前面側の端面に第１シール部材９１を挟んで配置される。
【００６１】
カバーガラス２３２の被写体側には保持部材２３６が配置されている。保持部材２３６は、円環形状の遮光部材で、中央に円形の透光孔２１２が設けられている。透光孔２１２の像側の径は内筒部４４Ｅの内周の径と略同じ大きさである。また、透光孔２１２は保持部材２３６の厚み方向の略中央部より被写体側に向かって開口径が大きくなるように形成されている。これにより、透光孔２１２の内周面での撮像素子への散乱光（迷光）の被写体光路への入射が防止される。
【００６２】
保持部材２３６における透光孔２１２の外周側の円環部分には、互いに円周上において等間隔で、一例として４個（４個に限らなくても可）のネジ穴２３９が形成されている。また、カメラ構造体２３０における、そのネジ穴２３９に対応する位置には、内側がネジ切りされたネジ部２３７が形成されている。
【００６３】
保持部材２３６のネジ穴２３９を貫通してカメラ構造体２３０のネジ部２３７に、固定ネジ２３８が螺合されている。この固定ネジ２３８の螺合によって保持部材２３６がカメラ構造体２３０に固定され、この保持部材２３６とカメラ構造体２３０とに挟まれてカバーガラス２３２もカメラ構造体２３０に固定される。
【００６４】
図７はカバーガラス２３２を取り外した状態である。図示するように、カバーガラス２３２は、接着剤等を用いず、保持部材２３６とカメラ構造体２３０との間に挟持されて保持されているだけなので、固定ネジ２３８をはずすことで、保持部材２３６及びカバーガラス２３２を容易に取り外すことができる。
【００６５】
以上、第３実施形態のカメラ２００によると、第１実施形態のカメラ１のカメラの効果に加え、以下の効果を有する。
（１）カメラ２００が組み立てられて外装部品や電気実装部品などが良好な状態に設定された後であっても、上述のように固定ネジ２３８をはずすことで、保持部材２３６及びカバーガラス２３２を容易に取り外すことができる。また、カバーガラス２３２を第２段部２２６に嵌め込み、保持部材２３６で押さえて固定ネジ２３８を保持部材２３６のネジ穴２３９からカメラ構造体２３０のネジ部２３７に挿入して螺合することにより、カバーガラス２３２をカメラ構造体２３０に容易に再組み込みすることができる。したがって、組み立て後のカメラ２００において密閉空間９０内（図６参照）に粉塵が発見された場合、その粉塵の除去を容易に行うことができる。またカバーガラス２３２の内面に汚れや傷が発見された場合も、カバーガラス２３２のみを容易に交換することができる。
また、清掃、交換に必要でない周辺部品の分解、再組込みが少なくできる。
【００６６】
（２）カバーガラス２３２の取り外し作業は、固定ネジ２３８を取り外すだけで可能なので、カメラ２００の使用者自身が行うこともできる。
【００６７】
（第４実施形態）
以下、図面を参照して、本発明の第４実施形態について説明する。
図９は、第４実施形態のカメラ３００の概略構成を示す断面図であり、カメラ本体３１０から、カメラ本体３１０に着脱自在な交換レンズ２０を取り外した状態の断面図である。図１０は、カメラ本体３１０から保持部材３３６及びカバーガラス３３２を取り外した状態を示す図である。また、図１１、図１２は、図１０におけるＢＢ方向から見た図であり、図１１は保持部材３３６がカメラ構造体３３０に固定されている状態を示し、図１２は保持部材３３６がカメラ構造体３３０から取り外し可能な状態を示す図である。
【００６８】
第４実施形態と第１実施形態との相違点は、カバーガラス３３２が、カメラ構造体３３０に対して着脱可能となっている点である。また、第４実施形態と第３実施形態との相違点は、保持部材３３６がネジ部材を用いることなく、カメラ構造体３３０に取り付け可能となっている点である。その他の部分については第１実施形態と同様であり、その同様な部分には第１実施形態と同一の符号を付し、その説明を省略する。
【００６９】
図示するように、カメラ構造体３３０の前面側におけるボディマウント１０Ｍの爪部よりも内径側には、撮像素子側に窪んだ第１段部３２５が形成されている。第１段部３２５の外形は、光軸ＯＡを中心とした円形に形成されている。
【００７０】
第１段部３２５には、その第１段部３２５の径よりもわずかに小さい外径を有し、その最大厚みが第１段部３２５の深さと略同じ保持部材３３６が嵌め込まれている。
保持部材３３６は、遮光部材で形成され、中央に円形の透光孔３１２が設けられている。また、透光孔３１２は保持部材３３６の厚み方向の略中央部より被写体側に向かって開口径が大きくなるように形成されている。これにより、透光孔３１２の内周面での散乱光（迷光）の被写体光路への入射が防止される。
【００７１】
保持部材３３６の撮像素子側には、被写体側に窪んだ第２段部３２６が形成されている。第２段部３２６の深さはカバーガラス３３２の厚みと略同一で、第２段部３２６にカバーガラス３３２が嵌め込み可能となっている。
【００７２】
また、保持部材３３６の撮像素子側には、円周に沿って互いに等間隔となるように３つの取付け腕部３２０が形成されている。図１３（ａ）は、図１１のＣＣ線に沿った断面図であり、図１３（ｂ）は図１２のＣＣ線に沿った断面図である。
図示するように取付け腕部３２０は、保持部材３３６の像側面と結合される結合部３２１と、その結合部３２１から保持部材３３６の像側面と平行に円周に沿って延びる延在部３２２とを備える。延在部３２２の先端部には、延在部３２２の幅方向に延びるように内側に（保持部材３３６側に）突出した保持部材側突起３１３が形成されている。
さらに、保持部材３３６の保持部材側突起３１３が設けられている部分の被写体側面（取付け腕部３２０と反対側面）には、図１３に示すように１箇所、円形の窪み３１４が設けられている。
【００７３】
一方、カメラ構造体３３０における、第１段部３２５の底部には、挿入口３３７が設けられている。挿入口３３７は、取付け腕部３２０に対応して円周に沿って互いに等間隔となる３箇所に設けられている。挿入口３３７は、取付け腕部３２０が挿入可能な長さ及び幅で形成されている。
【００７４】
カメラ構造体３００の挿入口３３７と同一の円周上における、挿入口３３７との挿入口３３７との間の像側面には、挿入口３３７の幅（径方向長さ）と略同じ幅（径方向長さ）の構造体側突起３０２Ａ、３０２Ｂが２つ並んで設けられている。
【００７５】
また、図１１、図１２において被写体側から見たときに、カメラ構造体３３０における、ボディマウント１０Ｍの爪部によって隠れていない部分には、図中三角印で示す構造体側第１指標３４０，構造体側第２指標３４１が設けられている。一方、保持部材３３６の被写体側面にも保持部材側指標３４２が設けられている。
【００７６】
まず、保持部材３３６の第２段部３２６にカバーガラス３３２を嵌め込む。そして、図１２に示すように、その保持部材３３６を構造体側第１指標３４０と保持部材側指標３４２とが一致するようにして、カメラ構造体３３０の第１段部３２５に配置する。構造体側第１指標３４０及び保持部材側指標３４２は、その際に図１２及び図１３（ａ）に示すようにカメラ構造体３３０の挿入口３３７に、保持部材３３６の腕部３２０が挿入されるような位置に示されている。
【００７７】
そして、保持部材３３６の窪み３１４に指を押し付けて保持部材３３６を図１２及び図１３（ｂ）の矢印方向に回転させると、取付け腕部３２０が、ボディマウント１０Ｍの円周方向（被写体側から見て時計周り）にスライドする。
そして、保持部材側指標３４２が構造体側第１指標３４０から構造体側第２指標３４１の位置にくるまで保持部材３３６を回転すると、取付け腕部３２０の保持部材側突起３１３がカメラ構造体３３０に設けられた突起のうちの１つである第１構造体側突起３０２Ａを乗り上げ、３０２Ａと３０２Ｂにて形成された凹部に収まる。
【００７８】
この回転により保持部材３３６の本体と取付け腕部３２０の延在部３２２との間でカメラ構造体３３０を挟み込み、保持部材３３６がカメラ構造体３３０に固定される。そして保持部材３３６とカメラ構造体３３０との間に挟持されたカバーガラス３３２も固定される。
また、保持部材側突起３１３は第１構造体側突起３０２Ａと第２構造体側突起３０２Ｂとの間に保持されるので、保持部材３３６は使用者が窪み３１４に指をおいて回転させない限り、その位置にとどまる。
なお、保持部材３３６を外す際には、上記とは逆の操作を行うようにすれば良い。
【００７９】
以上、本実施形態によると、第１実施形態及び第３実施形態の効果に加え、以下の効果を有する。
（１）保持部材３３６がネジを用いることなくカメラ構造体３３０に対して着脱可能であるので、保持部材３３６、即ちカバーガラス３３２を、カメラ構造体３３０に対して、さらに容易に着脱することができる。
（２）保持部材３３６のカメラ構造体３３０に対する装着の際に、指標が設けられているので、容易に位置決め可能であり、また回転させる際にも第１指標から第２指標の位置まで移動すればよいので、固定されたかどうかを容易に判断できる。
【００８０】
（変形形態）
以上、説明した実施形態に限定されることなく、以下に示すような種々の変形や変更が可能であり、それらも本発明の範囲内である。
（１）上記実施形態では、カメラ構造体と撮像ユニットとの接合部位の周囲からの密閉空間への塵埃の侵入を、カメラ構造体の外筒部および撮像ユニットにおける遮光構造体（シール段面４４Ｄ）の間に介設された第２シール部材と、カメラ構造体に装着されたカバーガラスおよび撮像ユニットにおける遮光構造体の内筒部との間に介装された第１シール部材との二重のシール構造によって防ぐようになっている。しかし、シール構造は、いずれか一方のみであってもよい。
【００８１】
（２）また、上記実施形態では、第２シール部材は、カメラ構造体の外筒部の端面と、撮像ユニットにおける遮光構造体のシール段面との間に介装されている。しかし、第２シール部材を、カメラ構造体の外筒部と撮像ユニットの撮像基板との間、または、撮像素子との間に介装して構成してもよい。すなわち、カメラ構造体の外筒部を、撮像基板（または撮像素子の前面ガラス）と所定間隔を有するように背面側に延ばし、その端面と撮像基板（または撮像素子の前面ガラス）との間に第２シール部材を介装するものである。このように構成すれば、遮光構造体を省略することができる。
【００８２】
（３）また、上記実施形態では、第１シール部材は、カメラ構造体に装着されたカバーガラス３２と撮像ユニットにおける遮光構造体の内筒部との間に介装されている。しかし、第１シール部材は、カメラ構造体と内筒部との間に介装するように構成してもよい。
【００８３】
（４）さらに、上記第１及び第２実施形態では、カメラ構造体の外筒部と、撮像ユニットにおける遮光構造体の内筒部とは、それぞれ断面形状が矩形の角筒状に形成されているが、角筒状に限らず円筒状とするなど適宜変更可能である。
【００８４】
（５）第３実施形態でカバーガラスは均一な厚さの板部材で形成したが、本発明はこれに限定されない。例えば図１４に示すように、カバーガラスの外周部分に段部を設けて薄く形成し、その部分に保持部材が嵌め込まれる形状としても良い。この形態によると、カバーガラスの光学的に必要とされる厚みを保ちつつ、カバーガラスと保持部材との全体として厚みを薄くできるので、カメラの小型化が可能となる。
【００８５】
（６）第３実施形態では、カバーガラスを保持する段部をカメラ構造体に設けたが、これに限定されず、カバーガラスを保持する段部を保持部材に設けてもよい。また、第４実施形態においてはカバーガラスを保持する段部を保持部材に設けたが、これに限定されず、カバーガラスを保持する段部をカメラ構造体に設けてもよい。
【００８６】
（７）第４実施形態では、保持部材３３６の取付け腕部３２０に１つの突起（保持部材側突起３１３）を設け、カメラ構造体３３０の像側面に２つの突起（第１構造体側突起３０２Ａ及び第２構造体側突起３０２Ｂ）を設け、保持部材側突起３１３が第１構造体側突起３０２Ａ及び第２構造体側突起３０２Ｂの間に挟まれて保持される構造について説明したが、本発明はこれに限定されない。例えば、保持部材３３６の取付け腕部３２０に２つの突起を設け、カメラ構造体３３０の像側面に１つの突起を設けてもよい。さらに、例えば、保持部材３３６の取付け腕部３２０に１つの突起を設け、カメラ構造体３３０の像側面にそれに対応する凹部を設けてもよく、保持部材３３６の取付け腕部３２０に１つの凹部を設け、カメラ構造体３３０の像側面にそれに対応する突起を設けてもよい。
【００８７】
（８）第３実施形態で記載した保持部材、カバーガラスは、円形でなくても良い。この場合、これらと接するボディ側の構造も第１段部２２５の外形や第２段部２２６の外形なども、保持部材やカバーガラスの外形に合わせた形状に形成されることになる。また、第４実施形態では、カバーガラスは円形でなくても良いが、回転操作によって着脱される保持部材については、すくなくとも円形でなければならない。
【００８８】
なお、実施形態及び変形形態は、適宜組み合わせて用いることもできるが、詳細な説明は省略する。また、本発明は以上説明した実施形態によって限定されることはない。
【符号の説明】
【００８９】
１，２，２００，３００：カメラ、１０，２１０，３１０：カメラ本体、１０Ｍ：ボディマウント、２０：交換レンズ、２０Ｍ：交換レンズ側マウント、３０，２３０，３３０：カメラ構造体（第２筐体）、３１：開口部、３２，２３２，３３２：カバーガラス（保護カバー）、３３：外筒部（第２筒状部）、３４：取付部（撮像ユニット取付部）、３５：固定部材、４０：撮像ユニット、４１：撮像部、４１Ａ：撮像素子（受光面）、４１Ｄ：撮像実装基板、４２：撮像基板、４２Ａ：支持凸部、４２Ｂ：固定部（カメラ構造体取付部）、４２Ｃ：位置決めボス、４３：光学ローパスフィルタ、４４：遮光構造体（第１筐体）、４４Ａ：実装基板収容段部、４４Ｂ：撮像部収容段部、４４Ｃ：フィルタ収容段部、４４Ｄ：シール段面、４４Ｅ：内筒部（第１筒状部）、４４Ｆ：固定突部、４４Ｇ：位置決め穴、４５：マスク、５０：電子ビューファインダー（ＥＶＦ）、５１：撮像照射モジュール、５２：接眼光学系、６０：カメラ外装（外装部材）、７０：外部表示装置、８１：調整装着ネジ、８２：固定ネジ８３：コイルスプリング、８４：装着ネジ、８８：止めネジ、８９：マウントネジ、９０：密閉空間、９１：第１シール部材、９２：第２シール部材、９３：撮像部内シール部材（第３シール部材）、１００：バリア部材（シャッター部材）、ＯＡ：光軸、１０１：バリア基板、１０２：バリアカバー板、１０３：バリア群、２３６，３３６：保持部材、３２０：取付け腕部、３２１：結合部、３２２：延在部
【図１】
2010193435.tif 000003
【図２】
2010193435.tif 000004
【図３】
2010193435.tif 000005
【図４】
2010193435.tif 000006
【図５】
2010193435.tif 000007
【図６】
2010193435.tif 000008
【図７】
2010193435.tif 000009
【図８】
2010193435.tif 000010
【図９】
2010193435.tif 000011
【図１０】
2010193435.tif 000012
【図１１】
2010193435.tif 000013
【図１２】
2010193435.tif 000014
【図１３】
2010193435.tif 000015
【図１４】
2010193435.tif 000016